(57)【特許請求の範囲】
【請求項１】
開口部内に面方向に沿って移動可能に並設され、それぞれを移動することにより前記開口部を開閉する複数の引戸体と、
この複数の引戸体のうち閉鎖時に隣接する引戸体間に位置し、これら引戸体で前記開口部を開口または閉鎖する際に、隣接する引戸体を連動させるとともに、これら引戸体の建て付け誤差および上下調整の少なくともいずれかを吸収する連動手段とを具備し、
この連動手段は、
引戸体間の一方の引戸体の一主面に、外周面に対して回転中心が偏心して取り付けられた略円盤状の係合部材と、
前記引戸体間の他方の引戸体の一主面に取り付けられ、互いの前記引戸体で開口部を開口または閉鎖する際に、前記係合部材と係合し、前記一方の引戸体を連動させる被係合部材とを備え、
この被係合部材は、係合部材との係合を係脱可能に保持する保持部を有する
ことを特徴とした戸装置。
【請求項２】
係合部材は、引戸体の一主面に略周方向に向けて回転自在に軸支されている
ことを特徴とした請求項１記載の戸装置。
【発明の詳細な説明】
【０００１】
【発明の属する技術分野】
本発明は、複数の引戸体で開口部を開閉する戸装置に関する。
【０００２】
【従来の技術】
従来、この種の戸装置としては、例えば図７に示す構成が知られている。
【０００３】
そして、この図７に示す戸装置１は、図示しない開口部内に面方向に沿って移動可能に並設され、それぞれを移動することにより開口部を開閉する２枚の引戸体２，３を備えている。そして、これら引戸体２，３の間には、これら引戸体２，３で開口部を開口または閉鎖する際に、隣接する引戸体２，３を連動させる連動手段４が取り付けられている。
【０００４】
この連動手段４は、引戸体２，３間の一方の引戸体２の一主面の幅方向における一側に、同心状に固定された係合部材としての戸当りキャップ５を備えている。また、引戸体２，３間の他方の引戸体３の一主面の幅方向における他側には、一方の引戸体２を移動させて開口部を閉鎖する際に、戸当りキャップ５に係合し、この他方の引戸体３を連動させる被係合部材としての戸当りプレート６が取り付けられている。
【０００５】
このため、開口部を開口する方向に向けて一方の引戸体２を移動することにより、戸当りキャップ５が戸当りプレート６に係合する。さらに、この状態から一方の引戸体２を、さらに開口部を開口する方向に向けて移動すると、戸当りキャップ５と戸当りプレート６との係合により、一方の引戸体２の移動に連動して他方の引戸体３が移動する。
【０００６】
【発明が解決しようとする課題】
しかしながら、上述した戸装置１では、一方の引戸体２が他方の引戸体３に対して上下方向にずれて開口部に取り付けられた場合や、上下方向における建て付け調整が可能な図示しない上下調整機構をそれぞれの引戸体２，３に形成し、この上下調整機構で一方の引戸体２の高さ位置を他方の引戸体３に対して高さ位置をずらした場合には、一方の引戸体２を開口方向に向けて移動しても、この一方の引戸体３に取り付けた戸当りキャップ５と、他方の引戸体３に取り付けた戸当りプレート６とが係合しなくなるという問題を有している。
【０００７】
本発明は、このような点に鑑みなされたもので、上下方向にずれた引戸体間を連動できる戸装置を提供することを目的とする。
【０００８】
【課題を解決するための手段】
請求項１記載の戸装置は、開口部内に面方向に沿って移動可能に並設され、それぞれを移動することにより前記開口部を開閉する複数の引戸体と、この複数の引戸体のうち閉鎖時に隣接する引戸体間に位置し、これら引戸体で前記開口部を開口または閉鎖する際に、隣接する引戸体を連動させるとともに、これら引戸体の建て付け誤差および上下調整の少なくともいずれかを吸収する連動手段とを具備し、この連動手段は、引戸体間の一方の引戸体の一主面に、外周面に対して回転中心が偏心して取り付けられた略円盤状の係合部材と、前記引戸体間の他方の引戸体の一主面に取り付けられ、互いの前記引戸体で開口部を開口または閉鎖する際に、前記係合部材と係合し、前記一方の引戸体を連動させる被係合部材とを備え、この被係合部材は、係合部材との係合を係脱可能に保持する保持部を有するものである。
【０００９】
そして、この構成では、複数の引戸体を移動して開口部を開口または閉鎖すると、この複数の引戸体のうち閉鎖時に隣接する引戸体間に取り付けた連動手段により、これら引戸体の一方に隣接する他方の引戸体が一方の引戸体の移動に連動して移動する。さらに、連動手段は、各引戸体を建て付けた際に引戸体間に建て付け誤差が生じた場合であっても、この建て付け誤差を吸収して隣接する引戸体を連動させることが可能であり、またはこれら引戸体を上下調整した際にこれら引戸体間の高さ誤差が生じた場合であっても、この高さ誤差を吸収して隣接する引戸体を連動させることが可能である。この結果、上下方向にずれた引戸体間を連動可能となる。
【００１０】
また、連動手段を取り付けたいずれかの引戸体間の一方の引戸体を移動すると、この引戸体に取り付けた係合部材が、他方の引戸体に取り付けた被係合部材に係合する。ここで、外周面に対して回転中心を偏心して係合部材を一方の引戸体に取り付けたため、引戸体間の高さ位置が異なる場合であっても、この高さ誤差を吸収して係合部材と被係合部材とが係合する。この結果、上下方向にずれた引戸体間であっても、これら引戸体間に係合部材と被係合部材とを取り付けることにより、これら引戸体間を連動して移動可能となる。
【００１１】
さらに、係合部材との係合を係脱可能に保持する保持部を被係合部材が有することにより、一方の引戸体を移動させて、この引戸体に取り付けた係合部材を、他方の引戸体に取り付けた被係合部材に係合させた際に、これら係合部材と被係合部材との係合が保持部により保持することが可能となる。このため、これら引戸体による開口部の不用意な開閉が防止可能となる。
【００１２】
請求項２記載の戸装置は、請求項１記載の戸装置において、係合部材は、引戸体の一主面に略周方向に向けて回転自在に軸支されているものである。
【００１３】
そして、この構成では、引戸体の一主面に略周方向に向けて係合部材を回転自在に軸支したことにより、上下方向における建て付け誤差や、これら引戸体の上下調整によるずれが生じた場合であっても、係合部材の取り付け位置などを変更することなく、この係合部材を取り付けた一方の引戸体を移動すれば、この一方の引戸体に隣接し、かつ被係合部材を取り付けた他方の引戸体を連動して移動させることが可能となる。よって、上下方向にずれた引戸体間を容易に連動させることが可能となる。
【００１４】
【発明の実施の形態】
以下、本発明の戸装置の一実施の形態の構成を図１ないし図６を参照して説明する。
【００１５】
図１ないし図６において、11は戸装置で、この戸装置11は、図示しない建物の収納用のクローゼットの開口部としての間口12を開閉可能にする。この間口12の上端面としての天井面13には、この間口12の開口方向に垂直な方向に沿った断面略凹溝状の埋設溝部14a，14b，14cが複数、例えば３本並設されている。これら各埋設溝部14a，14b，14cには、細長横断面略凹状の上ガイドレール15a，15b，15cが長手方向に沿ってそれぞれ埋設されている。これら各上ガイドレール15a，15b，15cの下面略中央には、長手方向に沿った横断面略凹溝状の上走行凹部16a，16b，16cがそれぞれ形成されている。
【００１６】
また、これら埋設溝部14a，14b，14cそれぞれに対向する間口12の下端面としての底面22にも同様に、この間口12の開口方向に垂直な方向に沿った断面略凹溝状の埋設溝部23a，23b，23cが複数、例えば３本並設されている。これら各埋設溝部23a，23b，23cには、細長横断面略凹状の下ガイドレール24a，24b，24cがそれぞれ埋設されている。これら各下ガイドレール24a，24b，24cの上面略中央部には、長手方向に沿った横断面略Ｖ溝状の下走行凹部25a，25b，25cがそれぞれ形成されている。
【００１７】
そして、戸装置11は、上ガイドレール15a，15b，15cと下ガイドレール24a，24b，24cとの間に面方向に沿って移動可能に並設された複数、例えば３枚の引戸体31a，31b，31cを備えている。これら各引戸体31a，31b，31cは、これら引戸体31a，31b，31cそれぞれを移動することにより間口12を開閉する。また、これら引戸体31a，31b，31cの上端面の面方向における両端近傍には、略円筒状の埋設凹部32a，32b，32cがそれぞれ形成されている。
【００１８】
これら埋設凹部32a，32b，32cには、上ガイドレール15a，15b，15cに上端が摺動可能に接続され、引戸体31a，31b，31cを面方向に向けて移動する際に、これら引戸体31a，31b，31cの移動をガイドするピボット33がそれぞれ埋設されている。このピボット33は、埋設凹部32a，32b，32cに埋設固定される有底略円筒状のケース体34を備えている。このケース体34内には、細長棒状の軸体35が嵌挿されている。さらに、ケース体34内における軸体35の基端とケース体34の底面との間には、付勢手段である弾性体としてのばね体36が付勢された状態で挿入されている。また、軸体35の先端はケース体34から突出している。さらに、この軸体35の先端には、略円環状の摺動保持体37が取り付けられている。そして、この摺動保持体37の先端が、各上ガイドレール15a，15b，15cの上走行凹部16a，16b，16cにそれぞれ摺動可能に挿入されている。よって、各引戸体31a，31b，31cは、ピボット33により間口12の開口方向に対して垂直な方向に向けて移動可能となる。
【００１９】
さらに、各引戸体31a，31b，31cの下端面の面方向における両端近傍であるこれら各引戸体31a，31b，31cの裏面側の一主面には、略段状に切り欠いた取付凹部42a，42b，42cがそれぞれ形成されている。これら各取付凹部42a，42b，42cには、引戸体31a，31b，31cの上下調整が可能な図示しない上下調整機構を備えた走行ユニット43がねじ体44a，44bによりそれぞれ取り付けられている。この走行ユニット43の下方には、ローラ45が回転自在に取り付けられている。このローラ45は、外周面の一部が走行ユニット43の下端面から下方に向けて突出している。そして、このローラ45は、各下ガイドレール24a，24b，24cの下走行凹部25a，25b，25cにそれぞれ摺動可能に嵌合されて、各引戸体31a，31b，31cの移動をガイドする。よって、これら各引戸体31a，31b，31cは、ローラ45により間口12の開口方向に対して垂直な方向に向けて移動可能となる。
【００２０】
また、各引戸体31a，31b，31cの裏面側に位置する走行ユニット43の表面略中央には、調整ねじ46が取り付けられている。この調整ねじ46は、この調整ねじ46を右回りに回転させることにより、上下調整機構を介して走行ユニット43の下端面に対するローラ45の突出量が増加し、またこの調整ねじ46を左回りに回転させることにより、上下調整機構を介して走行ユニット43の下端面に対するローラ45の突出量が減少する。よって、この調整ねじ46は、走行ユニット43の下端面に対するローラ45の外周面の突出量を調整する。
【００２１】
さらに、各引戸体31a，31b，31cで間口12を閉鎖した際における両側に位置する引戸体31a，31cそれぞれの対向する表面側の両側近傍である上下方向における略中央には、これら各引手体31a，31b，31cで間口12を開閉する際の引手口となる引手凹部48a，48bがそれぞれ形成されている。
【００２２】
そして、間口12の最裏面側に位置する引戸体31cの一主面である表面の引手凹部48bと対向する側の上端および下端から内方に向けて離間した位置には、係合部材としての戸当りキャップ51がそれぞれ取り付けられている。また、この戸当りキャップ51は、引戸体31aと引戸体31cとの間に位置する引戸体31bの表面の間口12を閉鎖する方向、すなわち図３に示す左側の上端および下端から内方に向けて離間した位置にも取り付けられている。
【００２３】
これら戸当りキャップ51は、略円盤状のキャップ体52を備えている。このキャップ体52には、このキャップ体52の中心軸方向に沿って貫通した貫通孔53が穿設されている。この貫通孔53は、キャップ体52の外周面に対して中心が偏心した位置に形成されている。また、この貫通孔53には、取付ねじ54の軸体55が回転可能に挿通されている。さらに、この取付ねじ54は、引戸体31b，31cの表面に形成した略円筒状のアンカ埋設凹部56に圧入固定されたアンカナット57に締め付け固定されている。これにより、キャップ体52は、外周面に対して回転中心が偏心して各引戸体31a，31bに、略周方向に向けて回転自在に軸支されている。
【００２４】
さらに、間口12の最表面側に位置する引戸体31aの裏面の引手凹部48aを形成した側の下端から内方に向けて離間した位置には、被係合部材としての戸当りプレート61が取り付けられている。また、この戸当りプレート61は、引戸体31aの裏面の引手凹部48aを形成した側と対向する側の上端および下端から内方に向けて離間した位置にもそれぞれ取り付けられている。さらに、この戸当りプレート61は、引戸体31bの裏面の左側の下端から内方に向けて離間した位置と、この引戸体31bの裏面の間口12を開口する方向、すなわち図３に示す右側の上端および下端から内方に向けて離間した位置にそれぞれ取り付けられている。また、これら戸当りプレート61は、戸当りキャップ51との係脱可能な係合により、隣接する引戸体31a，31b，31cの建て付け誤差や、上下調整を吸収する。
【００２５】
ここで、引戸体31bの裏面の左側に位置する戸当りプレート61は、この引戸体31bの左側に位置する側辺から所定間隔右側に向けて離間した位置に取り付けられている。この結果、引戸体31cの引手凹部48bに手をかけて、引戸体31a，31b，31cで間口12を開閉しても、引戸体31bと引戸体31cとの間で手を挟むことがなくなる。
【００２６】
また、これら戸当りプレート61の上下方向における略中央には、側方に向けて凹弧状に切り欠かれた係合凹部62が形成されている。この係合凹部62は、戸当りキャップ51のキャップ体52が係合可能な凹弧状に形成されている。ここで、引戸体31a，31bの右側に取り付けた戸当りプレート61は、これら戸当りプレート61の係合凹部62を、左側に向けて取り付けられている。さらに、これら引戸体31a，31bの左側に取り付けた戸当りプレート61は、これら戸当りプレート61の係合凹部62を右側に向けて取り付けられている。また、引戸体31a，31bの対向する両側に取り付けた各戸当りプレート61は、互いの係合凹部62が互いに向かい合う、すなわち相対して取り付けられている。
【００２７】
そして、各戸当りプレート61の係合凹部62の先端内側には、互いに向かい合う、すなわち相対する方向に向けて突出した保持部としての保持片63a，63bがそれぞれ形成されている。これら保持片63a，63bは、係合凹部62に対する戸当りキャップ51のキャップ体52の係合を係脱可能に保持する。また、係合凹部62の基端外側には、互いに切り欠かれた形状の切欠溝部64a，64bがそれぞれ形成されている。これら切欠溝部64a，64bは、係合凹部62の両側先端に弾性を持たせる。さらに、係合凹部62の上下方向における両側には、ねじ挿通孔65a，65bがそれぞれ穿設されている。これにより、戸当りプレート61は、ねじ挿通孔65a，65bそれぞれにねじ体66を挿入して、このねじ体66を各引戸体31a，31bに締め付け固定することによりこれら各引戸体31a，31bに取り付けられている。
【００２８】
また、戸当りプレート61の係合凹部62の先端内縁である保持片63a，63bのそれぞれの先端には、この係合凹部62の先端に向かうに連れて徐々に拡開するテーパ状の傾斜部67a，67bが形成されている。これら傾斜部67a，67bは、これら傾斜部67a，67bのいずれかに戸当りキャップ51が当接した際における係合凹部62に対する戸当りキャップ51の係合を案内するとともに容易にする。
【００２９】
ここで、各戸当りプレート61は、各引戸体31a，31b，31cで間口12を開口または閉鎖する際に、この戸当りプレート61を取り付けた側の引戸体31a，31bに隣接する引戸体31b，31cに取り付けた戸当りキャップ51と係合し、これら引戸体31a，31b，31cを連動させる。さらに、各引戸体31a，31b，31cで間口12を閉鎖した時に隣接する戸当りキャップ51と戸当りプレート61とにより、これら引戸体31a，31b，31cで間口12を開口または閉鎖する際に、隣接する引戸体31a，31b，31cを連動させる連動手段71が形成される。
【００３０】
また、間口12の天井面13の両側には、当接したピボット33を保持する保持手段としての平板矩形状の保持プレート81a，81bがそれぞれ取り付けられている。これら保持プレート81a，81bの一側片中央には、略凹弧状に切り欠かれた保持凹部82a，82bが形成されている。これら保持凹部82a，82bの両側には、保持凹部82a，82bの弾性を確保する緩衝溝部83a，83bがそれぞれ形成されている。また、保持凹部82a，82bには、各引戸体31a，31b，31cの埋設凹部32a，32b，32cに取り付けたピボット33の軸体35が嵌脱可能に嵌合する。
【００３１】
そして、これら保持プレート81a，81bは、互いの保持凹部82a，82bを内方に向け、すなわち相対させた状態で、上ガイドレール15aの左側に位置する上走行凹部16aの側端、および上ガイドレール15cの右側に位置する上走行凹部16cの側端にそれぞれ取り付けられている。
【００３２】
次に、上記一実施の形態の動作について説明する。
【００３３】
まず、図３(a)に示すように、間口12を閉鎖した状態、すなわち引戸体31aの間口12を閉鎖する方向である図３における左側に位置するピボット33の軸体35が保持プレート81aの保持凹部82aに嵌合し、引戸体31cの間口12を開口する方向である図３における右側に位置するピボット33の軸体35が保持プレート81bの保持凹部82bに嵌合し、かつ引戸体31aの間口12の右側に位置する戸当りプレート61に、引戸体31bの戸当りキャップ51が係合し、引戸体31bの間口12の右側に位置する戸当りプレート61に、引戸体31cの戸当りキャップ51が係合した状態から、引戸体31aの引手凹部48aに手をかけてこの引戸体31aを間口12の右側へと移動する。
【００３４】
このとき、保持プレート81aの保持凹部82aに対する引戸体31aの右側のピボット33の軸体35の嵌合が外れるとともに、引戸体31aの右側に位置する戸当りプレート61と、引戸体31bの戸当りキャップ51との係合が外れた後、引戸体31aのみが右側に向けて移動する。
【００３５】
この後、図３(b)に示すように、引戸体31aの間口12の左側に位置する戸当りプレート61が、引戸体31bの下方に位置する戸当りキャップ51に係合する。
【００３６】
この状態から、さらに引戸体31aを右側向けて移動すると、引戸体31bの右側に位置する戸当りプレート61と、引戸体31cの戸当りキャップ51との係合が外れた後、引戸体31aの左側に位置する戸当りプレート61と、引戸体31bの下方に位置する戸当りキャップ51との係合により、引戸体31aに引戸体31bが連動して右側に向けて移動する。
【００３７】
この後、図３(c)に示すように、引戸体31bの左側に位置する戸当りプレート61が、引戸体31cの下方に位置する戸当りキャップ51に係合して、間口12が開口する。このとき、引戸体31aの左側に位置する戸当りプレート61と引戸体31bの下方に位置する戸当りキャップ51との係合、および引戸体31bの左側に位置する戸当りプレート61と引戸体31cの下方に位置する戸当りキャップ51との係合、さらには保持プレート81bの保持凹部82bに対する引戸体31cの右側に位置するピボット33の軸体35による嵌合により、各引戸体31a，31b，31cによる間口12の開口状態が保持される。
【００３８】
さらに、図３(c)に示す状態から引戸体31aの引手凹部48aに手をかけて、この引戸体31aを左側に向けて移動すると、引戸体31aの左側に位置する戸当りプレート61と、引戸体31bの下方に位置する戸当りキャップ51との係合が外れた後、引戸体31aのみが左側に向けて移動する。
【００３９】
このとき、引戸体31aの右側に位置する戸当りプレート61それぞれに、引戸体31bの戸当りキャップ51がそれぞれ係合する。
【００４０】
この状態から、さらに引戸体31aを左側に向けて移動すると、引戸体31bの左側に位置すると戸当りプレート61と引戸体31cの戸当りキャップ51との係合が外れた後、引戸体31aの右側に位置する戸当りプレート61と引戸体31bの戸当りキャップ51との係合により、引き戸体31aの移動に引き戸体31bが連動して、これら引戸体31a，31bが左側に向けて移動する。
【００４１】
この後、引戸体31bの右側に位置する戸当りプレート61それぞれに、引戸体31cの戸当りキャップ51がそれぞれ係合するとともに、保持プレート81aの保持凹部82aに、引戸体31aの左側に位置するピボット33の軸体35が嵌合して、図３(a)に示すように間口12が閉鎖する。このとき、引戸体31aの右側に位置する戸当りプレート61と引き戸体31bの戸当りキャップ51との係合、および引戸体31bの右側に位置する戸当りプレート61と引戸体31cの戸当りキャップ51との係合、さらには保持プレート81a，81bの保持凹部82a，82bに対するピボット33の軸体35による嵌合により、各引戸体31a，31b，31cによる間口12の閉鎖状態が保持される。
【００４２】
上述したように、上記一実施の形態によれば、引戸体31aを移動して間口12を開閉すると、引戸体31a，31bそれぞれの裏面に取り付けた戸当りプレート61と、引戸体31b，31cそれぞれの表面に取り付けた戸当りキャップ51との係脱可能な係合、および保持プレート81a，81bの保持凹部82a，82bに対する引戸体31a，31cの嵌脱可能な嵌合により、引戸体31aの移動に連動して引戸体31bを移動させることができる。
【００４３】
さらに、外周面に対して回転中心を偏心して戸当りキャップ51を引戸体31b，31cに回転可能に取り付けたため、これら戸当りキャップ51の取り付け位置などを変更することなく、各引戸体31a，31b，31cを建て付けた際にこれら引戸体31a，31b，31c間に生じた建て付け誤差や、これら引戸体31a，31b，31cを上下調整した際に生じたこれら引戸体31a，31b，31c間の高さ誤差などを吸収して、戸当りプレート61に戸当りキャップ51を確実に係合させることができる。よって、引戸体31aの移動により上下方向にずれた引戸体31bを連動させて移動させることができる。
【００４４】
そして、各戸当りプレート61の係合凹部62の先端内側に、互いに相対する方向に向けて突出した保持片63a，63bをそれぞれ形成したことにより、これら戸当りプレート61の係合凹部62に対する戸当りキャップ51の係合を係脱可能に保持できる。この結果、各引戸体31a，31b，31cで間口12を開口または閉鎖した際におけるこの開口または閉鎖状態を保持できるので、これら各引戸体31a，31b，31cによる間口12の不用意な開閉を防止できる。
【００４５】
また、引戸体31bの裏面の左側の戸当りプレート61を、この引戸体31bの左側に位置する側辺から所定間隔内方に向けて離間して取り付けたため、引戸体31cの引手凹部48bに手をかけて引戸体31a，31b，31cで間口12を開閉した際に生じる引戸体31bと引戸体31cとの間で手を挟むことを防止できる。
【００４６】
また、引戸体31a，31bそれぞれの右側端の上方および下方に戸当りプレート61をそれぞれ取り付け、これら引戸体31a，31bそれぞれの左側端の下方のみに戸当りプレート61をそれぞれ取り付け、さらに引戸体31b，31cの左側端の上方および下方に戸当りキャップ51をそれぞれ取り付けたことにより、各引戸体31a，31b，31cの右側端に取り付けた戸当りプレート61に対する戸当りキャップ51の嵌合力を、各引戸体31a，31b，31cの左側端に取り付けた戸当りプレート61に対する戸当りキャップ51の嵌合力より大きくできる。
【００４７】
この結果、間口12を開口する際における戸当りプレート61と戸当りキャップ51との係合を解除するために必要な引戸体31aを移動させる力よりも、間口12を閉鎖する際における戸当りプレート61と戸当りキャップ51との係合を解除するために必要な引戸体31bを移動させる力が小さくなるので、各引戸体31a，31b，31cによる間口12の閉鎖状態を、これら各引戸体31a，31b，31cによる間口12の開口状態よりも保持できる。よって、間口12を開閉する際における各引戸体31a，31b，31cの連動が規則的になるとともに、各引戸体31a，31b，31cによる間口12の閉鎖状態を確実に保持できるので、使用者による使い勝手を向上できる。
【００４８】
なお、上記一実施の形態では、各引戸体31a，31b，31cを並列した状態から引戸体31aの引手凹部48aに手をかけて間口12を開閉する構成について説明したが、このような構成に限定されることはなく、各引戸体31a，31b，31cを並列した状態から引戸体31cの引手凹部48bに手をかけて間口12を開閉することもできる。そしてこのように構成することにより、上記一実施の形態を同様の作用効果を奏することができる。
【００４９】
【発明の効果】
請求項１記載の戸装置によれば、連動手段を取り付けた引戸体間における一方の引戸体の移動により、この一方の引戸体に閉鎖時に隣接した他方の引戸体を連動して移動でき、また、引戸体間に連動手段を取り付けたことにより、これら引戸体間の建て付け誤差、または上下調整による上下方向のずれが生じても、これら建て付け誤差や上下調整誤差を吸収するので、これら上下方向にずれた引戸体間を連動できる。
【００５０】
また、連動手段を取り付けた引戸体間の一方の引戸体に、外周面に対して回転中心を偏心して係合部材を取り付けたため、この一方の引戸体の移動により上下方向にずれた引戸体間でも、係合部材が他方の引戸体の被係合部材に係合するので、これら引戸体間を連動して移動できる。
【００５１】
さらに、一方の引戸体を移動させて、この一方の引戸体の係合部材を他方の引戸体の被係合部材に係合させると、これら係合部材と被係合部材との係合を保持部が保持するので、これら引戸体による開口部の不用意な開閉を防止できる。
【００５２】
請求項２記載の戸装置によれば、請求項１記載の戸装置の効果に加え、一方の引戸体に係合部材を回転自在に軸支したため、上下方向における建て付け誤差や、上下調整によるずれが引戸体間に生じても、係合部材を取り付けた一方の引戸体を移動することにより、他方の引戸体を連動させて移動できるので、上下方向にずれた引戸体間を容易に連動できる。
【図面の簡単な説明】
【図１】  本発明の戸装置の一実施の形態を示す正面図である。
【図２】  同上戸装置を示す一部を切り欠いた側面図である。
【図３】  同上戸装置による動作を示す説明図である。
（ａ）同上戸装置での閉鎖状態を示す説明図
（ｂ）同上戸装置での中間状態を示す説明図
（ｃ）同上戸装置での開口状態を示す説明図
【図４】  同上戸装置の戸当りプレートを示す斜視図である。
【図５】  同上戸装置の戸当りプレートと戸当りキャップとの係合状況を示す説明図である。
【図６】  同上戸装置の一部を示す断面図である。
【図７】  従来の戸装置の一部を示す説明図である。
【符号の説明】
11    戸装置
12    開口部としての間口
31a，31b，31c    引戸体
51    係合部材としての戸当りキャップ
61    被係合部材としての戸当りプレート
63a，63b    保持部としての保持片
71    連動手段
【図１】
0003787268.tif 000002
【図２】
0003787268.tif 000003
【図３】
0003787268.tif 000004
【図４】
0003787268.tif 000005
【図５】
0003787268.tif 000006
【図６】
0003787268.tif 000007
【図７】
0003787268.tif 000008